【事件の表示】
　平成３年特許願第２７２１７１号「釣り用リール」拒絶査定に対する審判事件［平成５年５月７日出願公開、特開平５−１１１３４３］について、次のとおり審決する。
【結　論】
　本件審判の請求は、成り立たない。
【理　由】
１．手続きの経緯、本願発明
　本願は、平成３年１０月２１日に出願された特願平３−２７２１７１号であって、その請求項１に係る発明は、平成１２年１月１７日、および、平成１２年６月２６日に提出された手続補正書により補正された明細書及び図面の記載からみて、その特許請求の範囲の請求項１に記載された以下のとおりのものである。（以下、「本願発明」という。）
「【請求項１】釣り糸巻取り用の回転体（４）からの釣り糸（２）の繰り出し量を求める計測装置（１５）を備え、前記計測装置（１５）からの計測結果に基づいて前記釣り糸（２）の繰り出し量を表示装置（１３）に出力する制御装置（１４）を備えて成る釣り用リールであって、前記表示装置（１３）は、前記釣り用リールの左右のサイドケース（１，１）の上部同士の間に亘って配置した制御ケース（９）に内装され、前記制御装置（１４）は、前記釣り用リールを基準とした仕掛の水深を求める棚把握手段（ＤT）と、水底を基準とした前記仕掛までの引き上げ距離を求める底棚把握手段（ＤB）とを備えて構成すると共に、前記棚把握手段（ＤT）による値、又は前記底棚把握手段（ＤB）による値を切換えて出力する出力切換え手段（１２）を備えて構成し、前記表示装置（１３）は、前記出力切換え手段（１２）の切換状態により、前記切換状態を認識できる表示と共に、前記棚把握手段（ＤT）による値、又は前記底棚把握手段（ＤB）による値のいずれか一方を、単一の表示部位（１３Ａ）に出力して表示する釣り用リール。」
　
２．引用文献記載の発明
　原査定の拒絶理由に引用された特開平３−９８５２４号公報（以下、「引用文献」という。）には、以下の記載が認められる。
（イ）「外周に釣糸が巻回され、駆動手段を介して回転するスプールを有する魚釣用リールにおいて、前記スプールから繰出された釣糸の長さ及びスプールに巻取られた釣糸の長さを測定する測定手段と、水底からの釣糸の巻取り開始を示す信号を入力する入力手段と、水底から釣糸先端までの距離を記憶しておくための記憶手段と、該記憶手段に記憶されている前記距離を表示する表示手段と、該記憶手段に記憶されている前記距離を表示する表示手段と、前記入力手段から前記信号が入力された際に前記記憶手段の記憶内容をゼロにし、当該時点からの前記測定手段を介して測定された前記釣糸の繰出された長さ及び巻取られた釣糸の長さを基に、釣糸先端の水底からの距離を演算手段を介して求め、求められた距離を前記記憶手段に記憶させると共に前記表示手段に表示する制御手段とを具備することを特徴とする魚釣用リール。」（特許請求の範囲）、
（ロ）「まず第４図（ａ）に示す状態は釣開始の状態であり、電動リール１０の表示部４２は通常の棚モードである。この場合、ステップ１０２においては第１のスイッチ４９は押されていないので、詳しくは後述するが通常の棚モードルーチン（ステップ１０４）を実行する。つまり、マイクロプロセッサ５２が釣糸１４の繰出し量、巻取り量を常時演算しながら現在の釣糸１４の繰出し量、換言すれば釣糸１４下端の水深を水深カウンタ４３へ表示しているのである。第４図（ｂ）に示す状態は釣糸１４の下端が水底５９に到達した状態であり、表示部４２は棚モードの状態である。第４図（ｃ）に示す状態は釣糸１４の下端が一旦水底５９に到達した後、釣糸１４を巻取り、釣糸１４を張った状態を示す。釣糸１４が第４図（ｂ）ではたるんだ状態であったのを、当該たるみ分を巻取ることにより、水底５９の正確な水深54.1メートルが水深カウンタ４３に表示されている。この状態において、「水底５９より８メートルの棚」という指示が船頭からあった場合、第１のスイッチ４９を押す。すると表示部４２は底モードになるのでステップ１０２において処理は底モードのルーチンへ入る。底カウンタ４５に「底モード」の文字列４７が点灯され、ＲＡＭ５５の底カウンタへ表示する数値の記憶領域（以下、エリアＡという）がクリアされる（ステップ１０６）。この時の状態が第４図（ｄ）に示す状態である。なお、第１のスイッチ４９を押して底モードに入るのは（ステップ１０６の実行）、第４図（ａ）〜（ｃ）の間であっても構わない。水深カウンタ４３は棚モードでも底モードでも同じ動作を行うからである。第４図（ｄ）において、スプール１２は回転していないのでステップ１０８において回転検出をしない。従って、ステップ１１０において釣糸１４の繰出しは無しと判断してステップ１２０、１２２へ進むが釣糸１４の底カウンタ４５、水深カウンタ４３の数値には変化が無い。ここで舟頭の指示どおり水底５９からの距離で棚を取る場合、第２のスイッチ５１を押してマイクロプロセッサ５２へ釣糸１４の巻取り開始を示す信号を入力する。すると、ステップ１１６で第２のスイッチ５１がＯＮになったことが判断され、再びＲＡＭ５５のエリアＡがゼロクリアされる（ステップ１１８）。・・・以後、第２のスイッチ５１が押されなければ（第２のスイッチ５１が押されたままであれば）ステップ１１６からステップ１０８へ戻る底モードの処理ルーチンが繰り返される。つまり、釣糸１４が巻取られると、ステップ１１０からステップ１２０へ行き、ＲＡＭ５５のエリアＡの値に第２のスイッチ５１がＯＮになった時点からの巻取られた釣糸１４の量が加算され、その数値が底カウンタ４５に表示される。さらに、水深カウンタ４３には底カウンタ４５に加算された分だけ減算された数値が表示される（ステップ１２２）。ところが実際の釣りでは釣糸１４は繰出し、巻取りが交互に行われるので水底５９からの棚取りであっても調整のため釣糸１４の繰出しが行われることがある。その際はステップ１１０からステップ１１２へ行き、繰出された分だけ底カウンタ４５の数値を減算し、水深カウンタ４３の数値をその分加算して表示する。このようにして水底から８メートルの棚を取った状態を第��図（ｅ）に示す。釣糸１４の下端と水底５９の距離Ｄが底カウンタ４５に示される距離８メートルとなる。」（５頁左上欄９行〜右下欄１９行）、
（ハ）「棚モードにおいては、第１図に示す表示部４２の上段の底カウンタ４５に、設定した棚の水深が表示される（以下、当該上段の数値表示を棚カウンタという）。電動リール１０では、棚モードにおいて水深カウンタ４３の値が１０メートル以上であって、かつ当該値が棚カウンタの値の±５メートル以内であれば不図示のブザーが鳴動して棚に接近したことを報知する機能を有している。棚カウンタへの棚の設定方法について第５図〜第７図をさらに参照して説明する。第５図には表示部４２の平面図を示す。棚モードに入るには前記のとおり第１のスイッチ４９を押してモード選択を行う。棚モードに入ると文字列４７が「底モード」から「棚モード」に切り換わる。その時点で表示部４２の上段のカウンタは棚カウンタ６１となる。下段のカウンタはやはり水深カウンタ４３である。」（６頁左上欄６行〜右上欄２行）。
　ここで、上記（ロ）の「棚モードルーチン（ステップ１０４）を実行する。つまり、マイクロプロセッサ５２が釣糸１４の繰出し量、巻取り量を常時演算しながら現在の釣糸１４の繰出し量、換言すれば釣糸１４下端の水深を水深カウンタ４３へ表示しているのである」、との記載から引用文献に記載された発明は、釣糸１４下端の水深を求める棚把握手段を備えているということができ、また、上記（ロ）の「ステップ１０２において処理は底モードのルーチンへ入る・・・釣糸１４の下端と水底５９の距離Ｄが底カウンタ４５に示される距離８メートルとなる」、との記載から、引用文献に記載された発明は、釣糸１４の下端と水底５９の距離Ｄを求める底棚把握手段を備えているということができるから、上記（イ）〜（ハ）の記載及び図面の記載からみて、引用文献には、次の発明（以下、「引用文献の発明」という。）が記載されていると認められる。
「釣糸巻回用のスプール１２からの釣糸１４の繰出された長さを測定する測定手段を備え、前記測定手段からの測定結果に基づいて前記釣糸１４の繰出された長さを表示部４２に表示する制御手段とを具備する魚釣用リールであって、前記制御手段は、前記魚釣用リールを基準とした釣糸１４の下端の水深を求める棚把握手段と、釣糸１４の下端と水底５９の距離Ｄを求める底棚把握手段とを備えると共に、前記棚モード、又は前記底モードを切り換えて表示する第１のスイッチ４９を備えて構成し、前記表示部４２は、前記第１のスイッチ４９の切り換状態により、前記文字列４７が「底モード」から「棚モード」に切り換わると共に、前記棚モードでは表示部４２の水深カウンタ４３に、前記底棚把握手段による値を表示し、表示部４２の底カウンタ４５に、棚把握手段による値を表示する魚釣用リール。」
　
３．本願発明と引用文献の発明との対比
　本願発明と引用文献の発明とを対比すると、
　引用文献の発明における、
「スプール１２」、「釣糸１４」、「繰出された長さ」、「測定手段」、「測定結果」、「表示部４２」、「制御手段」、「釣糸１４の下端の水深」、「棚把握手段」、「釣糸１４の下端までの距離」、「底棚把握手段」、「第１のスイッチ４９」、「文字列４７が「底モード」から「棚モード」に切り換わる」、および、「魚釣用リール」は、
　本願発明における、
「回転体（４）」、「釣り糸（２）」、「繰り出し量」、「計測装置（１５）」、「計測結果」、「表示装置（１３）」、「制御装置（１４）」、「仕掛の水深」、「棚把握手段（ＤT）」、「仕掛までの引き上げ距離」、「底棚把握手段（ＤB）」、「出力切換え手段（１２）」、「切換状態を認識できる表示」、および、「釣り用リール」にそれぞれ対応しているから、
　両者は、
「釣り糸巻取り用の回転体からの釣り糸の繰り出し量を求める計測装置を備え、前記計測装置からの計測結果に基づいて前記釣り糸の繰り出し量を表示装置に出力する制御装置を備えて成る釣り用リールであって、前記制御装置は、前記釣り用リールを基準とした仕掛の水深を求める棚把握手段と、水底を基準とした前記仕掛までの引き上げ距離を求める底棚把握手段とを備えて構成すると共に、前記表示装置は、前記出力切換え手段の切換状態により、前記切換状態を認識できる表示と共に、前記棚把握手段による値と前記底棚把握手段による値を、表示部位に出力して表示する釣り用リール。」で一致するが、下記各点で相違する。
（イ）本願発明では、表示装置（１３）は、「釣り用リールの左右のサイドケース（１，１）の上部同士の間に亘って配置した制御ケース（９）に内装され」ているのに対して、引用文献の発明ではこのように構成されていない点。
（ロ）本願発明では、前記棚把握手段（ＤT）による値、又は前記底棚把握手段（ＤB）による値を切換えて出力する出力切換え手段（１２）を備えて構成し、前記表示装置（１３）は、前記出力切換え手段（１２）の切換状態により、前記切換状態を認識できる表示と共に、前記棚把握手段（ＤT）による値、又は前記底棚把握手段（ＤB）による値のいずれか一方を、単一の表示部位（１３Ａ）に出力して表示するのに対して、引用文献の発明ではこのように構成されていない点。
　
４．当審の判断
　上記各相違点について検討する。
（１）相違点（イ）について
　引用文献には、制御ケースを備えているか否かについては明記されていないが、引用文献の特に第１図には、電子回路部４０、表示部４２等を何らかのケースにまとめて、スプロール１２の横に配置することを示唆する記載があり、また、表示装置を釣り用リールの左右のサイドケースの上部同士の間に亘って配置した制御ケースに内装する構成は、釣り用リールにおいて従来周知の構成であるから（特開平２−１８６９３３号公報、実願平１−６３７２７号（実開平３−４２０７号）のマイクロフィルム参照）、本願発明に係る相違点（イ）の構成は単なる設計変更にすぎない。
（２）相違点（ロ）について
　引用文献の発明は、棚モードでは、表示部４２の上段に、水底５９から釣糸１４下端までの距離、いわゆる底棚把握手段による値を表示し、下段に、釣糸１４の先端の水深、いわゆる棚把握手段による値を表示している。すなわち、表示部４２に、底棚把握手段による値と棚把握手段による値の両方を表示している。
　しかしながら、表示部をどの程度の情報が表示できるようにするかは、当業者が適宜設定する設計事項であり、しかも、引用文献には、スイッチによってモードを切換え、その切換えた状態を表示すると共に、２種類の情報を単一の表示部位に切換えて表示するという技術思想が開示されているから、引用文献の発明において、表示部４２を小さくし、スイッチ（出力切換え手段）によって切換えた状態を表示すると共に、棚把握手段による値、又は底棚把握手段による値のいずれか一方を、表示部４２に出力して表示するよう構成して本願発明のようにすることは当業者が容易に想到できることである。
　そして、本願発明が奏する効果は、引用文献に記載された発明及び周知技術から予測できる程度のことであって格別顕著なものではない。
　
５．結論
　以上のとおりであるから、本願発明は引用文献に記載された発明に基いて当業者が容易に発明をすることができたものであるから、特許法第２９条第２項の規定により、特許を受けることができない。
　よって、結論のとおり審決する。